【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】放射線画像処理装置、画像処理システム、放射線画像処理方法、記録媒体、及びプログラム
【手続補正２】
【補正対象書類名】明細書
【補正対象項目名】特許請求の範囲
【補正方法】変更
【補正の内容】
【特許請求の範囲】
【請求項１】
被写体からの散乱放射線を除去するためのグリッドを使用した放射線撮影により得られた画像データを処理する放射線画像処理方法であって、
前記画像データの画素値に応じてマスク領域を抽出するマスク処理工程と、
前記マスク領域に対応する前記画像データ中の領域から前記グリッドの画像成分を除去するグリット縞除去処理工程とを備えることを特徴とする放射線画像処理方法。
【請求項２】
前記マスク処理工程は、画素値が所定の値以上を示す領域又は他の所定の値以下を示す領域をマスク領域とすることを特徴とする請求項１に記載の放射線画像処理方法。
【請求項３】
前記グリッドを放射線撮影した画像データを前記グリッドの画像成分として記憶する記憶工程を有し、前記グリット縞除去処理工程は前記記憶工程で記憶される前記グリッドの画像成分を除去することを特徴とする請求項１又は２に記載の放射線画像処理方法。
【請求項４】
前記グリット縞除去処理工程は前記画像データから前記画像成分を抽出する抽出工程を有することを特徴とする請求項１記載の放射線画像処理方法。
【請求項５】
グリッドを使用した放射線撮影により得られた画像データから前記グリッドに起因する画像成分を除去するためにコンピュータを、
前記グリッドに起因する画像成分が重畳している領域をマスク領域として抽出するマスク処理手段と、
前記マスク領域に対応する前記画像データ中の領域から前記グリッドに起因する画像成分を除去するグリット縞除去処理手段として機能させるためのプログラムを記録したコンピュータ読み取り可能な記録媒体。
【請求項６】
グリッドを使用した放射線撮影により得られた画像データから前記グリッドに起因する画像成分を除去するためにコンピュータを、
前記グリッドに起因する画像成分が重畳している領域をマスク領域として抽出するマスク処理手段と、
前記マスク領域に対応する前記画像データ中の領域から前記グリッドに起因する画像成分を除去するグリット縞除去処理手段として機能させるためのプログラム。
【請求項７】
放射線を被写体に照射するＸ線発生回路と、
前記被写体を透過した前記放射線から散乱放射線を除去するためのグリッドと、
前記グリッドを透過した放射線を電気信号に変換するＸ線センサと、
前記電気信号を画像データに変換するＡ／Ｄ変換器と、
前記グリッドに起因する画像成分が重畳している領域をマスク領域として抽出するマスク処理手段と、
前記マスク領域に対応する前記画像データ中の領域から前記グリッドに起因する画像成分を除去するグリット縞除去処理手段とを備えることを特徴とする放射線画像処理装置。
【請求項８】
複数の機器が互いに通信可能に接続されてなる画像処理システムであって、
上記複数の機器のうち少なくとも１つの機器は、請求項１〜４のいずれか１項に記載の放射線画像処理方法の機能を備えることを特徴とする画像処理システム。
【手続補正３】
【補正対象書類名】明細書
【補正対象項目名】０００１
【補正方法】変更
【補正の内容】
【０００１】
【発明の属する技術分野】
本発明は、例えば、散乱放射線を除去するためのグリッドを使用した放射線撮影により被写体の放射線画像を取得する装置或いはシステムに用いられる、放射線画像処理装置、画像処理システム、放射線画像処理方法、記録媒体及びプログラムに関するものである。
【手続補正４】
【補正対象書類名】明細書
【補正対象項目名】００１４
【補正方法】変更
【補正の内容】
【００１４】
そこで、本発明は、上記の欠点を除去するために成されたもので、グリッドを使用した放射線撮影により得られた放射線画像から、グリッド縞の成分が除去された良好な放射線画像を得ることのできる、放射線画像処理装置、画像処理システム、放射線画像処理方法、記録媒体及びプログラムを提供することを目的とする。
【手続補正５】
【補正対象書類名】明細書
【補正対象項目名】００１５
【補正方法】変更
【補正の内容】
【００１５】
【課題を解決するための手段】
本発明の放射線画像処理方法は、被写体からの散乱放射線を除去するためのグリッドを使用した放射線撮影により得られた画像データを処理する放射線画像処理方法であって、前記画像データの画素値に応じてマスク領域を抽出するマスク処理工程と、前記マスク領域に対応する前記画像データ中の領域から前記グリッドの画像成分を除去するグリット縞除去処理工程とを備えることを特徴とする。
【手続補正６】
【補正対象書類名】明細書
【補正対象項目名】００１６
【補正方法】変更
【補正の内容】
【００１６】
本発明のコンピュータ読み取り可能な記録媒体は、グリッドを使用した放射線撮影により得られた画像データから前記グリッドに起因する画像成分を除去するためにコンピュータを、前記グリッドに起因する画像成分が重畳している領域をマスク領域として抽出するマスク処理手段と、前記マスク領域に対応する前記画像データ中の領域から前記グリッドに起因する画像成分を除去するグリット縞除去処理手段として機能させるためのプログラムを記憶したことを特徴とする。
【手続補正７】
【補正対象書類名】明細書
【補正対象項目名】００１７
【補正方法】変更
【補正の内容】
【００１７】
本発明のプログラムは、グリッドを使用した放射線撮影により得られた画像データから前記グリッドに起因する画像成分を除去するためにコンピュータを、前記グリッドに起因する画像成分が重畳している領域をマスク領域として抽出するマスク処理手段と、前記マスク領域に対応する前記画像データ中の領域から前記グリッドに起因する画像成分を除去するグリット縞除去処理手段として機能させることを特徴とする。
【手続補正８】
【補正対象書類名】明細書
【補正対象項目名】００１８
【補正方法】変更
【補正の内容】
【００１８】
本発明の放射線画像処理装置は、放射線を被写体に照射するＸ線発生回路と、前記被写体を透過した前記放射線から散乱放射線を除去するためのグリッドと、前記グリッドを透過した放射線を電気信号に変換するＸ線センサと、前記電気信号を画像データに変換するＡ／Ｄ変換器と、前記グリッドに起因する画像成分が重畳している領域をマスク領域として抽出するマスク処理手段と、前記マスク領域に対応する前記画像データ中の領域から前記グリッドに起因する画像成分を除去するグリット縞除去処理手段とを備えることを特徴とする。
【手続補正９】
【補正対象書類名】明細書
【補正対象項目名】００１９
【補正方法】変更
【補正の内容】
【００１９】
本発明の画像処理システムは、複数の機器が互いに通信可能に接続されてなる画像処理システムであって、上記複数の機器のうち少なくとも１つの機器は、前記放射線画像処理方法の機能を備えることを特徴とする。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】